(57)【要約】【課題】安価に感電防止を行うことができる情報処理端末及び情報処理端末の感電防止方法を提供する。【解決手段】インレットを露出させるための切り欠きを備える第１の被覆部と、本体カバーに変位可能に係止する係止ピンと、係止ピンを挟んで第１の被覆部と対向する位置に設けられる第２の被覆部と、を有し、本体カバーを外すために外す必要がある少なくとも一つの係止部材とインレットのうちいずれか一方を露出し、他方を被覆するように変位する被覆部材を備える。【選択図】図１
2011175538.tif 000002
【特許請求の範囲】
【請求項１】
電力を供給する電源装置と、
前記電源装置に電力を送電するための電源コードを装着するインレットと、
演算装置を搭載する電子基板と、
少なくとも前記電源装置及び前記電子基板を備える本体部を被覆する本体カバーと、
前記本体部又は前記本体カバーに設置され、前記本体カバーを前記本体部から外すために外す必要がある少なくとも一つの係止部材と前記インレットのうちいずれか一方を露出し、他方を被覆するように変位する被覆部材と、
を備えることを特徴とする情報処理端末。
【請求項２】
前記被覆部材は、
前記係止部材を被覆するときに前記インレットを露出させるための切り欠きを備える第１の被覆部と、
前記係止部材を露出するときに前記インレットを被覆するための第２の被覆部と、
を備えることを特徴とする請求項１記載の情報処理端末。
【請求項３】
前記被覆部材は、
前記インレットから前記電源コードを抜いたとき、自重により変位し、前記第２の被覆部が前記係止部材を露出させるとともに前記インレットを被覆することを特徴とする請求項１又は請求項２記載の情報処理端末。
【請求項４】
前記被覆部材は、
前記本体カバーに摺動可能又は回動可能に設置されることを特徴とする請求項１乃至請求項３のいずれか１項に記載の情報処理端末。
【請求項５】
前記被覆部材は、
被覆部材の線対称の軸上に配置される係止ピンにより摺動可能又は回動可能に係止されることを特徴とする請求項４記載の情報処理端末。
【請求項６】
前記第１の被覆部は、
前記被覆部材が前記インレットを被覆するように変位するとき、前記係止部材を露出させるための切り欠き部を有することを特徴とする請求項３記載の情報処理端末。
【請求項７】
前記被覆部材は、
前記インレットの上方に前記係止ピンにより摺動可能又は回動可能に係止されることを特徴とする請求項４記載の情報処理端末。
【請求項８】
前記被覆部材は、
左右非対称に形成されることを特徴とする請求項４記載の情報処理端末。
【請求項９】
前記被覆部材は、
前記第２の被覆部が前記係止部材を露出させるとともに前記インレットを被覆するように変位したとき、前記本体部側面又は前記本体部底面から突出しないことを特徴とする請求項４記載の情報処理端末。
【請求項１０】
電力を供給する電源装置と、前記電源装置に電力を送電するための電源コードを装着するインレットと、演算装置を搭載する電子基板と、少なくとも前記電源装置及び前記電子基板を備える本体部を被覆する本体カバーと、を有する情報処理端末の感電防止方法であって、
被覆部材が、
前記本体カバーを外すために外す必要がある少なくとも一つの係止部材と前記インレットのうちいずれか一方を露出し、他方を被覆するように変位する、
ことを特徴とする情報処理端末の感電防止方法。
【発明の詳細な説明】
【技術分野】
【０００１】
本発明は、感電を防止することが可能な情報処理端末及び情報処理端末の感電防止方法に関する。
【背景技術】
【０００２】
パソコンやＰＯＳ端末のような情報処理端末は、外部から１００乃至２４０Ｖという高電圧を、インレットを介して外部電源から受け入れて動作するように構成される。
【０００３】
修理を行うためには外カバーを外し、内部の電子部品を露出させる。ここで、従来の情報処理端末はインレットに外部電源の電源コードを差し込んだまま外カバーを外せるような構成となっているため、操作者が内部の回路に接触して感電を起こすという問題点がある。
【０００４】
この点に関し、内部の電子部品を覆う底板金の一部を、インレットを上方に回り込むように構成し、電源コードをインレットから抜かないと底板金を本体から分離できないようにする技術が開示されている（例えば、特許文献１、図４（ｂ）、Ｍ３６）。
【０００５】
しかし、この技術によっては微細なモデルチェンジなどによっても底板金の金型を再作成しなければならず、製造コストを上昇させるという問題点がある。
【先行技術文献】
【特許文献】
【０００６】
【特許文献１】特開平３−２３４６９１号公報
【発明の概要】
【発明が解決しようとする課題】
【０００７】
本発明は、安価に感電防止を行うことができる情報処理端末及び情報処理端末の感電防止方法を提供することを目的とする。
【課題を解決するための手段】
【０００８】
本発明は、電力を供給する電源装置と、電源装置に電力を送電するための電源コードを装着するインレットと、演算装置を搭載する電子基板と、少なくとも電源装置及び電子基板を備える本体部を被覆する本体カバーと、本体部又は本体カバーに設置され、本体カバーを本体部から外すために外す必要がある少なくとも一つの係止部材とインレットのうちいずれか一方を露出し、他方を被覆するように変位する被覆部材と、を備えることを特徴とする情報処理端末を提供する。
【発明の効果】
【０００９】
本発明によれば、作業者は本体カバーを外すために係止部材を外すとき、必ず電源コードをインレットから抜くこととなるため、安価に感電を防止することが可能となるという効果がある。
【図面の簡単な説明】
【００１０】
【図１】第１の実施形態の情報処理端末を背面から見た斜視図である。
【図２】第１の実施形態の情報処理端末の内部を正面から見た構成図である。
【図３】第１の実施形態の被覆部材が係止部材を被覆する状態を示す図である。
【図４】第１の実施形態の被覆部材が係止部材を露出するように変位した状態を示す図である。
【図５】第１の実施形態の被覆部材が係止部材を露出するように変位した状態を示す図である。
【図６】第１の実施形態の被覆部材の係止ピンをインレットの下方に配置した例を示す図である。
【図７】第１の実施形態の被覆部材を回動して係止部材を露出させた状態を示す図である。
【図８】第２の実施形態の被覆部材が係止部材を被覆する状態を示す図である。
【図９】第２の実施形態の被覆部材がインレットを被覆する状態を示す図である。
【図１０】第２の実施形態の応用例に係る被覆部材が係止部材を被覆する状態を示す図である。
【図１１】第２の実施形態の応用例に係る被覆部材がインレットを被覆する状態を示す図である。
【図１２】第３の実施形態の被覆部材が係止部材を被覆する状態を示す図である。
【図１３】第３の実施形態の被覆部材がインレットを被覆する状態を示す図である。
【図１４】第４の実施形態の被覆部材が係止部材を被覆する状態を示す図である。
【図１５】第４の実施形態の被覆部材が係止部材を露出する状態を示す図である。
【発明を実施するための形態】
【００１１】
以下に、本発明の一実施形態に係る情報処理端末及び情報処理端末の感電防止方法を、図面を参照して詳細に説明する。ここで、情報処理端末には少なくともコンピュータ、パソコン、ＰＯＳ端末を含むものとする。
【００１２】
（第１の実施形態）
図１は、本実施形態の情報処理端末１を背面から見た斜視図である。図１に示すように、情報処理端末１は、電子部品を装着する本体部と、本体部の電子部品を被覆する本体カバー２と、電源コードを装着するインレット１０と、を備える。
【００１３】
情報処理端末１はさらに、本体カバー２に、本体カバー２を外すための係止部材１１であるビス乃至ネジをインレット１０が露出するときに被覆し、インレット１０を被覆するときに係止部材を露出する被覆部材２０を備える。なお、係止部材１１は図１においては被覆部材２０により被覆されているため図示されていない。
【００１４】
すなわち、被覆部材２０は、本体カバー２を外すために外す必要がある少なくとも一つの係止部材１１とインレット１０のうちいずれか一方を露出し、他方を被覆するように変位する。なお、ここで変位とは回動、回転、摺動を少なくとも含むものとする。
【００１５】
図２は、本実施形態の情報処理端末の内部を正面から見た構成図である。図２に示すように、情報処理端末１は、演算装置であるＣＰＵ６Ａ及びメモリを備える電子基板６と、光ディスク装置５と、大容量記憶装置であるハードディスクドライブ４と、電力を供給する電源装置３と、これらの電子部品を被覆する本体カバー２と、を備える。
【００１６】
電子基板６には入出力インターフェースが搭載されており、この入出力インターフェースを介してディスプレイ、キーボード、マウス、キャッシュドロワなどの外部装置が接続される。
【００１７】
キーボードなどの入力用外部装置から入力された信号はＣＰＵ６Ａによって処理され、ディスプレイに処理結果が出力され、適宜のタイミングによりハードディスクドライブ４に蓄積される。
【００１８】
図３は、本実施形態の被覆部材２０が係止部材１１を被覆する状態を示す図である。図３に示すように、被覆部材２０は、係止部材１１を被覆するときにインレット１０を露出させるための幅及び高さを有する切り欠き２０Ｃを備える第１の被覆部２０Ａと、インレット１０の上方に被覆部材２０を本体部又は本体カバー２に回動可能に係止する係止ピン２１と、係止ピン２１を挟んで第１の被覆部２０Ａと対向する位置に設けられる第２の被覆部２０Ｂと、を備える。
【００１９】
二つの第１の被覆部２０Ａは同じ形状に形成される。また、係止ピン２１は２つの第１の被覆部２０Ａから等距離の位置に配置される。すなわち、係止ピン２１は被覆部材２０の線対称の軸上に配置される。従って、被覆部材２０に力が加わらない場合は、自重により変位してインレット１０が露出する。
【００２０】
第２の被覆部２０Ｂは、係止部材１１が露出しているときにインレット１０を被覆するための幅、及び長さを有する。
【００２１】
図４及び図５は、被覆部材２０が係止部材１１を露出するように変位した状態を示す図である。図４に示すように、係止部材１１を露出させると第１の被覆部２０Ａがインレット１０を被覆する。
【００２２】
図５に示すように、被覆部材２０をさらに回動して変位させると、係止部材１１が露出した状態にて第２の被覆部２０Ｂがインレット１０を被覆する。
【００２３】
図６は、被覆部材２０の係止ピン２２をインレット１０の下方に配置した例を示す図である。図７は、被覆部材２０を回動して係止部材１１を露出させた状態を示す図である。
【００２４】
図６及び図７に示すように、係止ピン２２をインレット１０の下方に配置した場合にも、係止ピン２２をインレット１０の上方に配置した場合と同様の作用効果が得られる。すなわち、係止ピン２１、２２はインレット１０に対して上でも下でも横でもよい。
【００２５】
以上述べたように、本実施形態の情報処理端末１は、インレット１０を露出させるための幅及び高さを有する切り欠き２０Ｃを備える第１の被覆部２０Ａと、インレット１０の上方に本体カバー２に回動可能に係止する係止ピン２１と、係止ピン２１を挟んで第１の被覆部２０Ａと対向する位置に設けられる第２の被覆部２０Ｂと、を有し、本体カバー２を外すために外す必要がある少なくとも一つの係止部材１１とインレット１０のうちいずれか一方を露出し、他方を被覆するように変位する被覆部材２０を備える。
【００２６】
従って、作業者は本体カバー２を外すために係止部材１１を外すとき、必ず電源コードをインレット１０から抜くこととなるため、感電を防止することが可能となるという効果がある。
【００２７】
（第２の実施形態）
情報処理端末１の内部構成については第１の実施形態と同様であるため省略する。
【００２８】
図８は、本実施形態の被覆部材３０が係止部材１１を被覆する状態を示す図である。図８に示すように、被覆部材３０は、インレット１０を露出させるための幅及び高さを有する切り欠き３０Ｃを備える第１の被覆部３０Ａと、インレット１０の上方に被覆部材３０を本体部又は本体カバー２に回動可能に係止する係止ピン３１と、係止ピン３１を挟んで第１の被覆部３０Ａと対向する位置に設けられる第２の被覆部３０Ｂと、を備える。
【００２９】
第１の被覆部３０Ａは、インレット１０が露出しているときに係止部材１１を被覆するための幅、及び長さを有する。二つの第１の被覆部３０Ａはほぼ同じ形状に形成される。また、係止ピン３１は２つの第１の被覆部３０Ａからそれぞれ異なる距離の位置に配置される。図８においては、向かって右側の第１の被覆部３０Ａ寄りに係止ピン３１が配置されている。
【００３０】
すなわち、被覆部材３０は、本体カバー２を外すために外す必要がある少なくとも一つの係止部材１１とインレット１０のうちいずれか一方を露出し、他方を被覆するように変位する。
【００３１】
図９は、本実施形態の被覆部材３０がインレット１０を被覆する状態を示す図である。図９に示すように、被覆部材３０に力が加わらない場合は、自重により変位して係止部材１１が露出する。
【００３２】
第２の被覆部３０Ｂは、係止部材１１が露出しているときにインレット１０を被覆するための幅、及び長さを有する。
【００３３】
係止部材１１を露出させると第１の被覆部３０Ａがインレット１０を被覆する。被覆部材３０をさらに回動して変位させると、係止部材１１が露出した状態にて第１の被覆部３０Ａがインレット１０を被覆する。
【００３４】
図１０は、本実施形態の応用例に係る被覆部材３０Ｘが係止部材１１を被覆する状態を示す図である。図１０に示すように、被覆部材３０Ｘは、被覆部材３０Ｘの重心Ｇを係止ピン３１に対して筺体、すなわち本体部の外側方向に来るように第１の被覆部３０Ａ及び第１の被覆部３０Ａ構成されている。
【００３５】
被覆部材３０Ｘは、インレット１０を露出させるための幅及び高さを有する切り欠き３０Ｃを備える第１の被覆部３０Ａと、インレット１０の上方に被覆部材３０を本体部又は本体カバー２に回動可能に係止する係止ピン３１と、係止ピン３１を挟んで第１の被覆部３０Ａと対向する位置に設けられる第２の被覆部３０Ｂと、を備える。
【００３６】
第１の被覆部３０Ａは、インレット１０が露出しているときに係止部材１１を被覆するための幅、及び長さを有する。二つの第１の被覆部３０Ａはほぼ同じ形状に形成される。また、係止ピン３１は２つの第１の被覆部３０Ａからそれぞれ異なる距離の位置に配置される。図１０においては、向かって左側の第１の被覆部３０Ａ寄りに係止ピン３１が配置されている。
【００３７】
すなわち、被覆部材３０は、本体カバー２を外すために外す必要がある少なくとも一つの係止部材１１とインレット１０のうちいずれか一方を露出し、他方を被覆するように変位する。
【００３８】
図１１は、本実施形態の応用例に係る被覆部材３０Ｘがインレット１０を被覆する状態を示す図である。図１１に示すように、被覆部材３０Ｘに力が加わらない場合は、自重により変位して係止部材１１が露出する。
【００３９】
第２の被覆部３０Ｂは、係止部材１１が露出しているときにインレット１０を被覆するための幅、及び長さを有する。
【００４０】
係止部材１１を露出させると第１の被覆部３０Ａがインレット１０を被覆する。被覆部材３０をさらに回動して変位させると、係止部材１１が露出した状態にて第１の被覆部３０Ａがインレット１０を被覆する。
【００４１】
このとき、重心Ｇが被覆部材３０Ｘの重心Ｇを係止ピン３１に対して筺体、すなわち本体部の外側方向にあるため、被覆部材３０Ｘは重心Ｇを筺体内側に変位するように回動する。被覆部材３０Ｘが重心Ｇを筺体内側に変位するように回動すると、第１の被覆部３０Ａは筺体内側に変位するため、筺体、すなわち本体部からはみ出さない。
【００４２】
以上述べたように、本実施形態の情報処理端末１は、係止ピン３１が左右の第１の被覆部３０Ａからそれぞれ異なる距離に配置される被覆部材３０を備える。
【００４３】
従って、電源コードをインレット１０から外したときに、被覆部材３０は自重により変位して係止部材１１を露出させるため、作業者が被覆部材３０を変位させる手間が省けるという効果がある。
【００４４】
さらに、被覆部材３０Ｘは、被覆部材３０Ｘの重心Ｇを係止ピン３１に対して筺体、すなわち本体部の外側方向に来るように第１の被覆部３０Ａ及び第１の被覆部３０Ａが構成される。従って、電源コードをインレット１０から外したときに、自重により変位しても被覆部材３０Ｘが本体部からはみ出さないという効果がある。
【００４５】
（第３の実施形態）
情報処理端末１の内部構成については第１の実施形態と同様であるため省略する。
【００４６】
図１２は、本実施形態の被覆部材４０が係止部材１１を被覆する状態を示す図である。図１２に示すように、被覆部材４０は、インレット１０を露出させるための幅及び高さを有する切り欠き４０Ｃを備える第１の被覆部４０Ａと、インレット１０の横に被覆部材４０を本体部又は本体カバー２に上下方向摺動可能に係止する係止ピン４１と、一方の第１の被覆部４０Ａの先端にインレット１０側の横方向に伸びる第２の被覆部４０Ｂと、を備える。
【００４７】
第１の被覆部４０Ａの少なくとも一方は、被覆部材４０がインレット１０を露出するように上方に変位するとき、係止部材１１を被覆するための長さ及び幅を有する。
【００４８】
図１３は、本実施形態の被覆部材４０がインレット１０を被覆する状態を示す図である。図１３に示すように、第２の被覆部４０Ｂは、被覆部材４０が係止部材１１を露出するように下方に変位するとき、インレット１０を被覆するための長さ及び幅を有する。
【００４９】
すなわち、被覆部材４０は、本体カバー２を外すために外す必要がある少なくとも一つの係止部材１１とインレット１０のうちいずれか一方を露出し、他方を被覆するように変位する。
【００５０】
被覆部材４０は、電源コードをインレット１０から外したときに、自重により下方に変位する。
【００５１】
以上述べたように、本実施形態の情報処理端末１は、本体カバー２に摺動可能に係止され、インレット１０を露出させるための幅及び高さを有する切り欠き４０Ｃを備える第１の被覆部４０Ａと、インレット１０の上方に本体カバー２に摺動可能に係止する係止ピン４１と、一方の第１の被覆部４０Ａの先端に設けられる第２の被覆部４０Ｂと、を有し、本体カバー２を外すために外す必要がある少なくとも一つの係止部材１１とインレット１０のうちいずれか一方を露出し、他方を被覆するように変位する被覆部材４０を備える。
【００５２】
被覆部材４０は、電源コードをインレット１０から外したときに、自重により下方に変位するため、作業効率が良いという効果がある。
【００５３】
（第４の実施形態）
情報処理端末１の内部構成については第１の実施形態と同様であるため省略する。
【００５４】
図１４は、本実施形態の被覆部材５０が係止部材１１を被覆する状態を示す図である。図１４に示すように、被覆部材５０は、インレット１０を露出させるための幅及び高さを有する切り欠き５０Ｄを備える第１の被覆部５０Ａと、インレット１０の上方に被覆部材５０を本体部又は本体カバー２に上下方向摺動可能に係止する係止ピン５１と、一方の第１の被覆部５０Ａの付け根に第２の被覆部５０Ｂと、を備える。
【００５５】
第１の被覆部５０Ａは、被覆部材５０がインレット１０を露出するように上方に変位するとき、係止部材１１を被覆するための長さ及び幅を有する。
【００５６】
第２の被覆部５０Ｂは、被覆部材５０がインレット１０を被覆するように下方に変位するとき、インレット１０を被覆するための幅及び高さを有する。
【００５７】
図１５は、本実施形態の被覆部材５０が係止部材１１を露出する状態を示す図である。図１５に示すように、第１の被覆部５０Ａは、被覆部材５０がインレット１０を被覆するように下方に変位するとき、係止部材１１を露出させるための幅及び高さを有する切り欠き部５０Ｃを有する。
【００５８】
すなわち、被覆部材５０は、本体カバー２を外すために外す必要がある少なくとも一つの係止部材１１とインレット１０のうちいずれか一方を露出し、他方を被覆するように変位する。
【００５９】
被覆部材５０は、電源コードをインレット１０から外したときに、自重により下方に変位し、係止部材１１を露出させる。なお、被覆部材５０は、変位しても筺体側面からはみ出すことはない。
【００６０】
以上述べたように、本実施形態の情報処理端末１は、本体カバー２に摺動可能に係止され、インレット１０を露出させるための幅及び高さを有する切り欠き５０Ｃを備える第１の被覆部５０Ａと、インレット１０の上方に本体カバー２に摺動可能に係止する係止ピン５１と、第１の被覆部５０Ａの付け根に設けられる第２の被覆部５０Ｂと、を有し、本体カバー２を外すために外す必要がある少なくとも一つの係止部材１１とインレット１０のうちいずれか一方を露出し、他方を被覆するように変位する被覆部材５０を備える。
【００６１】
被覆部材５０は、電源コードをインレット１０から外したときに、自重により下方に変位するため、作業効率が良く、さらに変位しても筺体側面からはみ出さないという効果がある。
【００６２】
すなわち、被覆部材５０は自重により変位するため、電源コードをインレット１０から抜くだけで係止部材１１が露出する。従って、すぐに本体カバー２を外すために係止部材１１を外す行為に取り掛かることができる。また係止部材１１が露出すると同時にインレット１０が第２の被覆部５０Ｂによって被覆されるため、電源コードをインレット１０に再度差し込むことができなくなる。従って、感電を効果的に防止できるという効果がある。
【符号の説明】
【００６３】
１：情報処理端末、
２：本体カバー、
１０：インレット、
１１：係止部材、
２０Ａ，３０Ａ，４０Ａ，５０Ａ：第１の被覆部、
２０Ｂ，３０Ｂ，４０Ｂ，５０Ｂ：第２の被覆部。
【図１】
2011175538.tif 000003
【図２】
2011175538.tif 000004
【図３】
2011175538.tif 000005
【図４】
2011175538.tif 000006
【図５】
2011175538.tif 000007
【図６】
2011175538.tif 000008
【図７】
2011175538.tif 000009
【図８】
2011175538.tif 000010
【図９】
2011175538.tif 000011
【図１０】
2011175538.tif 000012
【図１１】
2011175538.tif 000013
【図１２】
2011175538.tif 000014
【図１３】
2011175538.tif 000015
【図１４】
2011175538.tif 000016
【図１５】
2011175538.tif 000017